(57)【要約】【課題】トランスペアレント光ネットワークのノードで故障があった場合に、どのノードで故障があったかを特定する。【解決手段】本発明は、方路から入力された光信号を分波して、ＷＳＳに出力する光カプラと、出力側の特定の方路に接続されるＷＳＳに対して光信号を分波する分配用光カプラと、光カプラ及び分配用光カプラから入力された光信号を波長選択してそれぞれの方路に出力する、出力側の特定の方路に接続されるＷＳＳと、光から入力された光信号を波長選択するＷＳＳと、ドロップポートに接続され、光カプラから入力された光信号を波長選択するＷＳＳと、モニタ用ポートに接続され、光カプラから入力された光信号を波長選択するＷＳＳを有する。【選択図】図２
2010130575.tif 000002
【特許請求の範囲】
【請求項１】
複数のノードが光ファイバで接続される光ネットワークにおける故障を検出するためのノード装置であって、
方路毎に、入力側に設けられる複数の光分波手段と、
出力側に設けられる複数の波長選択スイッチと、
アドポートに接続される分配用光分波手段と、
からなり、
前記光分波手段は、前記方路から入力された光信号を分波して、前記波長選択スイッチに出力し、
前記分配用光分波手段は、出力側の方路に接続される波長選択スイッチに対して光信号を分波し、
前記出力側の方路に接続される波長選択スイッチは、前記光分波手段及び前記分配用光分波手段から入力された光信号を波長選択して、それぞれの方路に出力し、
前記出力側の波長選択スイッチのうち、ドロップポートに接続される波長選択スイッチは、前記光分波手段から入力された光信号を波長選択して該ドロップポートに出力し、
前記出力側の波長選択スイッチのうち、モニタ用ポートに接続される波長選択スイッチは、前記光分波手段から入力された光信号を波長選択して該モニタ用ポートに出力する
ことを特徴とするノード装置。
【請求項２】
複数のノードが光ファイバで接続される光ネットワークにおける故障を検出するためのノード装置であって、
方路毎に、入力側に設けられる複数の波長選択スイッチＡと、
出力側に設けられる複数の波長選択スイッチＢと、
アドポートに接続される分配用光分波手段と、
からなり、
入力側の前記波長選択スイッチＡは、前記方路から入力された光信号を波長選択して、出力側の波長選択スイッチＢに出力し、
前記分配用光分波手段は、出力側の方路に接続される波長選択スイッチＢに対して光信号を分波し、
出力側の方路に接続される波長選択スイッチＢは、前記入力側の波長選択スイッチ及び前記分配用光分波手段から入力された光信号を波長選択して、それぞれの方路に出力し、
前記出力側の波長選択スイッチＢのうち、ドロップポートに接続される波長選択スイッチは、前記入力側の波長選択スイッチＡから入力された光信号を波長選択して該ドロップポートに出力し、
前記出力側の波長選択スイッチＢのうち、モニタ用ポートに接続される波長選択スイッチは、前記入力側の波長選択スイッチＡから入力された光信号を波長選択して該モニタ用ポートに出力する
ことを特徴とするノード装置。
【請求項３】
前記モニタ用ポートにおけるパストレースのモニタ手段として、
トーン変調を用いる
請求項１記載のノード装置。
【請求項４】
請求項１または請求項２記載のノード装置を用いたことを特徴とするトランスペアレント光ネットワーク。
【請求項５】
光分岐手段と、波長選択手段と、故障監視手段と、制御手段と、を有し、
該光分岐手段は、アドポートより入射する信号光を分岐する機能を有し、
該波長選択手段は、分岐した信号光を波長に基づいて切り替えて出力ポートまたはドロップポートへ出力する波長選択機能を有し、
該故障監視手段は、モニタ用ポートへ出力された信号光を受信して故障を監視する故障監視機能を有し、
該制御手段は、該波長選択手段の該波長選択機能に対する制御情報を送受する制御情報送受機能と、該制御情報に基づいて該波長選択手段を制御する制御機能と、を有し、
入力ポートと出力ポートが伝送路経由で他の通信装置と接続される複数のノードを、伝送路によって接続し、かつ、ノードを制御及び管理する機能を具備するネットワーク管理装置を有するトランスペアレントな光ネットワークにおいて、
前記ネットワーク管理装置が、
ある光パスの経路で故障が発生したために迂回する光パス経路へ変更する際に、
光パス経路上の各ノードの前記制御手段との間で、前記波長選択手段を選択するための制御情報を交換する制御情報交換ステップと、
前記ノード群の前記制御手段が、前記制御情報交換ステップにおいて受信した制御情報に基づいて、前記波長選択手段を制御して故障時の光パス経路を保持するステップと、
前記ノード群の前記制御手段が、前記波長選択手段を制御して迂回する光パス経路を設定するステップと、
送信ノードの前記光分岐手段が、挿入される光信号を前記故障時の光パス経路と迂回用光パス経路の両方へ分配するステップと、
受信ノードの前記制御手段が、ドロップポート用波長選択手段を制御して前記迂回用光パス経路から入力される光信号を選択して、ドロップポートへ出力するステップと、
前記故障時の光パス経路の通過ノード及び受信ノードの前記制御手段が、モニタ用波長選択手段を制御して故障時の光パス経路から入力される光信号を選択してモニタ用ポートへ出力して、前記故障監視手段により故障監視するステップと、
を実行することを特徴とするトランスペアレント光ネットワーク故障監視方法。
【発明の詳細な説明】
【技術分野】
【０００１】
本発明は、トランスペアレント光ネットワーク及びノード装置及びトランスペアレント光ネットワーク故障監視方法に係り、特に、送信ノードから受信ノードまで光−電気処理を含まないトランスペアレント光ネットワークのどのノードで故障が発生したかを監視するためのトランスペアレント光ネットワーク及びノード装置及びトランスペアレント光ネットワーク故障監視方法に関する。
【背景技術】
【０００２】
近年、光通信において、光ネットワークの高速化、低コスト化、及び、消費電力低減を行うために、電気再生中継を行わずに光信号のまま転送されるトランスペアレント光ネットワークの研究開発が行われている。
【０００３】
従来、図５に示すようなフルメッシュ構成のネットワークにおいて、例えば、ノードＡ→ノードＢ→ノードＣ→ノードＦ→ノードＩという光パスａでコネクション設定を行う。その後、同図（Ａ）に示すように、ノードＣで、光スイッチの故障やファイバ断線等の故障が発生した場合には、パス状態を通知するコントロールプレーン（Ｃプレーン）等を用いて光パス始点のノードＡが故障状態を検出後、同図（Ｂ）に示すように、迂回パスを計算して迂回パスｂの設定を行い、当該迂回パスｂに切り替えることにより復旧を行う。
【０００４】
従来のトランスペアレントではない光ネットワークにおいては、各ノードが光−電気−光型の電気再生中継器を有している。故障が生じると光パス経路を切り換えた後に、各ノードでモニタ用信号光を生成して後段のノードへ送信し、こちらのモニタ用信号を監視することで光パスの故障場所の特定（パストレース）を行っていた（例えば、非特許文献１参照）。
【非特許文献１】Lei Zong et al., "Study on wavelength cross-connect realized with wavelength selective switches", OFC2006, NThC3, March 2006.
【発明の開示】
【発明が解決しようとする課題】
【０００５】
しかしながら、上記の図５のようなフルメッシュのトランスペアレントなネットワークにおいて故障が発生すると、光パス経路を切り換えてしまうため、光信号が元の経路のノードに送信されなくなるため故障発生箇所を特定することができない。例えば、図５（Ａ）に示すノードＡ→ノードＢ→ノードＣ→ノードＦ→ノードＩの光パスａにおいてノードＣに故障が発生していても、復旧時に光信号（光パスａ）がないため、各ノードでモニタ信号の監視ができず、当該箇所を特定できない。例えば、図５（Ｂ）のように復旧後に、ノードＡ→ノードＤ→ノードＧ→ノードＨ→ノードＩのように光パスｂを設定してしまうとノードＣの故障が特定されないままになってしまう。
【０００６】
従来のトランスペアレント光ネットワークのノード構成を図６に示す。送信ノードは、図６（Ａ）に示すように、入力側のＷＳＳ１１、出力側のＷＳＳ１２から構成されている。ＷＳＳ１１は、波長多重信号を入力する１つの入力ポートと、波長多重信号を出力する複数の出力ポートを有し、波長毎に入力ポートから入力された信号（光パス）をどの出力ポートに接続するかを選択できるスイッチである。アドポートから入力側ＷＳＳ１１ｃに光信号が入力されると、出力側のＷＳＳ１２ａまたは、ＷＳＳ１２ｂのいずれかが選択されて、それぞれの方路に出力される。また、図６（Ｂ）に示すような受信ノードでは、方路１からは光信号が入力され、当該光信号は、ＷＳＳ２１ａで波長選択され、ＷＳＳ２２ａ、または、ＷＳＳ２２ｂ、または、ＷＳＳ２２ｃのいずれかに出力される。また、方路２から入力された光信号は、ＷＳＳ２１ｂで波長選択され、ＷＳＳ２２ａ、または、ＷＳＳ２２ｂ、または、ＷＳＳ２２ｃのいずれかに出力される。つまり、従来のノード構成では、送信側において、アドポートからの信号光は、出力側の方路１、または、方路２のどちらかにしか送信できない。また、受信側においては、入力側の方路１、または、方路２のどちらかしかドロップポートで取り出すことができない。
【０００７】
したがって、従来のトランスペアレント光ネットワークでは、故障が生じた場合は、送信ノードでは、アドポートからの信号光を別の方路へ切り換えて、受信ノードでは切り換えられた方路からの信号光のみをドロップポートへ出力するため、故障が発生したパスにおいて光信号が転送されなくなり、監視ができなくなるため、どの中継ノードで故障が発生しているのか判明しないという問題がある。
【０００８】
本発明は、上記の点に鑑みなされたもので、トランスペアレント光ネットワークのノードや光ファイバ伝送路で故障があった場合に、どこで故障があったかを特定することが可能なトランスペアレント光ネットワーク及びノード装置及びトランスペアレント光ネットワーク故障監視方法を提供することを目的とする。
【課題を解決するための手段】
【０００９】
図１は、本発明の原理を説明するための図である。
【００１０】
本発明（請求項１）は、複数のノードが光ファイバで接続される光ネットワークにおける故障を検出するためのノード装置であって、
方路毎に、入力側に設けられる複数の光分波手段１１０と、
出力側に設けられる複数の波長選択スイッチ１２０と、
アドポートに接続される分配用光分波手段１３０と、
からなり、
光分波手段１１０は、方路から入力された光信号を分波して、波長選択スイッチ１２０に出力し、
分配用光分波手段１３０は、出力側の方路に接続される波長選択スイッチ１２０に対して光信号を分波し、
出力側の方路に接続される波長選択スイッチ１２０ａ，１２０ｂは、光分波手段１１０及び分配用光分波手段１３０から入力された光信号を波長選択して、それぞれの方路に出力し、
出力側の波長選択スイッチのうち、ドロップポートに接続される波長選択スイッチ１２０ｄは、光分波手段１１０から入力された光信号を波長選択して該ドロップポートに出力し、
出力側の波長選択スイッチのうち、モニタ用ポートに接続される波長選択スイッチ１２０ｃは、光分波手段１１０から入力された光信号を波長選択して該モニタ用ポートに出力する。
【００１１】
本発明（請求項２）は、複数のノードが光ファイバで接続される光ネットワークにおける故障を検出するためのノード装置であって、
方路毎に、入力側に設けられる複数の波長選択スイッチＡと、
出力側に設けられる複数の波長選択スイッチＢと、
アドポートに接続される分配用光分波手段と、
からなり、
入力側の波長選択スイッチＡは、方路から入力された光信号を波長選択して、出力側の波長選択スイッチＢに出力し、
分配用光分波手段は、出力側の方路に接続される波長選択スイッチＢに対して光信号を分波し、
出力側の方路に接続される波長選択スイッチＢは、入力側の波長選択スイッチ及び分配用光分波手段から入力された光信号を波長選択して、それぞれの方路に出力し、
出力側の波長選択スイッチＢのうち、ドロップポートに接続される波長選択スイッチは、入力側の波長選択スイッチＡから入力された光信号を波長選択して該ドロップポートに出力し、
出力側の波長選択スイッチＢのうち、モニタ用ポートに接続される波長選択スイッチは、入力側の波長選択スイッチＡから入力された光信号を波長選択して該モニタ用ポートに出力する。
【００１２】
また、本発明（請求項３）は、モニタ用ポートにおけるパストレースのモニタ手段として、トーン変調を用いる。
【００１３】
本発明（請求項４）は、方路毎に、入力側に設けられる複数の光分波手段と、
出力側に設けられる複数の波長選択スイッチと、
アドポートに接続される分配用光分波手段と、
からなり、
光分波手段は、方路から入力された光信号を分波して、波長選択スイッチに出力し、
分配用光分波手段は、出力側の方路に接続される波長選択スイッチに対して光信号を分波し、
出力側の方路に接続される波長選択スイッチは、光分波手段及び分配用光分波手段から入力された光信号を波長選択して、それぞれの方路に出力し、
出力側の波長選択スイッチのうち、ドロップポートに接続される波長選択スイッチは、光分波手段から入力された光信号を波長選択して該ドロップポートに出力し、
出力側の波長選択スイッチのうち、モニタ用ポートに接続される波長選択スイッチは、光分波手段から入力された光信号を波長選択して該モニタ用ポートに出力するノード装置、
または、
方路毎に、入力側に設けられる複数の波長選択スイッチＡと、
出力側に設けられる複数の波長選択スイッチＢと、
アドポートに接続される分配用光分波手段Ｄと、
からなり、
入力側の波長選択スイッチＡは、方路から入力された光信号を波長選択して、出力側の波長選択スイッチＢに出力し、
分配用光分波手段Ｄは、出力側の方路に接続される波長選択スイッチＢに対して光信号を分波し、
出力側の方路に接続される波長選択スイッチＢは、入力側の波長選択スイッチ及び分配用光分波手段Ｄから入力された光信号を波長選択して、それぞれの方路に出力し、
出力側の波長選択スイッチＢのうち、ドロップポートに接続される波長選択スイッチは、入力側の波長選択スイッチＡから入力された光信号を波長選択して該ドロップポートに出力し、
出力側の波長選択スイッチＢのうち、モニタ用ポートに接続される波長選択スイッチは、入力側の波長選択スイッチＡから入力された光信号を波長選択して該モニタ用ポートに出力するノード装置、を用いた光ネットワークである。
【００１４】
本発明（請求項５）は、光分岐手段と、波長選択手段と、故障監視手段と、制御手段と、を有し、
該光分岐手段は、アドポートより入射する信号光を分岐する機能を有し、
該波長選択手段は、分岐した信号光を波長に基づいて切り替えて出力ポートまたはドロップポートへ出力する波長選択機能を有し、
該故障監視手段は、モニタ用ポートへ出力された信号光を受信して故障を監視する故障監視機能を有し、
該制御手段は、該波長選択手段の該波長選択機能に対する制御情報を送受する制御情報送受機能と、該制御情報に基づいて該波長選択手段を制御する制御機能と、を有し、
入力ポートと出力ポートが伝送路経由で他の通信装置と接続される複数のノードを、伝送路によって接続し、かつ、ノードを制御及び管理する機能を具備するネットワーク管理装置を有するトランスペアレントな光ネットワークにおいて、
ネットワーク管理装置が、
ある光パスの経路で故障が発生したために迂回する光パス経路へ変更する際に、
光パス経路上の各ノードの制御手段との間で、波長選択手段を選択するための制御情報を交換する制御情報交換ステップと、
ノード群の制御手段が、制御情報交換ステップにおいて受信した制御情報に基づいて、波長選択手段を制御して故障時の光パス経路を保持するステップと、
ノード群の制御手段が、波長選択手段を制御して迂回する光パス経路を設定するステップと、
送信ノードの光分岐手段が、挿入される光信号を故障時の光パス経路と迂回用光パス経路の両方へ分配するステップと、
受信ノードの制御手段が、ドロップポート用波長選択手段を制御して迂回用光パス経路から入力される光信号を選択して、ドロップポートへ出力するステップと、
故障時の光パス経路の通過ノード及び受信ノードの制御手段が、モニタ用波長選択手段を制御して故障時の光パス経路から入力される光信号を選択してモニタ用ポートへ出力して、故障監視手段により故障監視するステップと、を実行する。
【発明の効果】
【００１５】
上記のように、トランスペアレントな光ネットワークにおいて、送信ノードで挿入される光信号を故障時の光パス経路と迂回用光パス経路の両方へ分配し、通過ノード及び受信ノードでモニタ用波長選択機能により、故障時の光パスからの光信号をモニタ用ポートへ出力して監視することにより、故障場所の特定が可能となる。
【００１６】
また、ノード装置の分配用の光カプラをアドポートに設け、出力側に複数の波長選択スイッチ（ＷＳＳ）を設け、そのうち１つのＷＳＳをモニタ用ポートに接続されるモニタ用とすることにより、当該モニタ用のＷＳＳからの出力に基づいて、故障しているか否かを判定することができる。
【発明を実施するための最良の形態】
【００１７】
以下、図面と共に本発明の実施の形態を説明する。
【００１８】
＜ノード構成の実施形態１＞
図２は、本発明の一実施の形態におけるノード構成を示す図である。
【００１９】
同図（Ａ）は送信ノード、同図（Ｂ）は受信ノードの構成を示す。同図に示すように、送信側のノードに分配用の光カプラを設け、受信側のノードに複数のＷＳＳを設け、そのうち１つのＷＳＳをモニタ用とする。
【００２０】
送信側ノード１００は、入力側の方路１に光カプラ１１０ａ、方路２に光カプラ１１０ｂ、アドポートから光パス情報が重畳された光信号が入力される分配用光カプラ１３０を設ける。出力側には、複数のＷＳＳ１２０を設け、そのうち、ＷＳＳ１２０ａ、１２０ｂは、光カプラ１１０ａ、１１０ｂ、１３０からの光信号が入力される。ＷＳＳ１２０ｃは、光カプラ１１０ａ，１１０ｂからの光信号が入力され、波長選択された光信号がモニタ用ポートに出力される。また、ＷＳＳ１２０ｄは、光カプラ１１０ａ，１１０ｂから光信号が入力され、波長選択された信号光がドロップポートに出力される。
【００２１】
受信側ノード２００は、送信ノード１００と同様の構成である。
【００２２】
なお、上記の送信側ノード１００、受信側のノード２００の各ＷＳＳは、入力された信号光から管理制御機能部（図示せず）からの制御により波長を選択する。
【００２３】
上記の構成において、送信側ノード１００において、例えば、方路１から入力側の光カプラ１１０ａに光信号が入力されると、出力側のＷＳＳ１２０ａ，ＷＳＳ１２０ｂ，ＷＳＳ１２０ｃ，ＷＳＳ１２０ｄに分配される。一方、アドポートから分配用光カプラ１３０に光信号が入力されると、ＷＳＳ１２０ａとＷＳＳ１２０ｂに分配して出力する。これにより、ＷＳＳ１２０ａとＷＳＳ１２０ｂは、光カプラ１１０ａ、１１０ｂと分配用光カプラ１３０から入力された光信号を波長選択して、それぞれ方路１、方路２に光信号を出力する。
【００２４】
受信側ノード２００では、方路１からの光信号を入力側の光カプラ２１０ａへ入力し、光カプラ２１０ａは、出力側のＷＳＳ２２０ａ，ＷＳＳ２２０ｂ，ＷＳＳ２２０ｃ，ＷＳＳ２２０ｄに出力する。同様にして、方路２からの光信号を光カプラ２１０ｂへ入力し、光カプラ２１０ｂは、出力側のＷＳＳ２２０ａ，ＷＳＳ２２０ｂ，ＷＳＳ２２０ｃ，ＷＳＳ２２０ｄに出力する。接続される分配用光カプラ２３０は、アドポートから光パス情報が入力されると、方路１に接続されるＷＳＳ２２０ａと方路２に接続されるＷＳＳ２２０ｂに光信号を分配して出力する。なお、光パス情報の重畳には、トーン変調等を用いることができる。
【００２５】
迂回用光パスで用いる方路に接続されている入力側光カプラからの光信号のみが出力側のＷＳＳ２２０ｄで選択されてドロップポートに出力される。
【００２６】
本発明の送信側ノードでは分配用光カプラを備え、受信側ノードではモニタ用ポートを備えている。光ネットワークで故障が発生した後に迂回する光パスを設定しても、光信号は送信側ノードにて、故障時の光パス経路と迂回用光パス経路の両方に分配される。受信用ノードでは、故障時の光パス経路から入力される光信号をＷＳＳ２００ｃでモニタ用ポートへ出力して光パス情報を監視する。したがって本発明では、迂回用の光パスが設定された後も故障時の光パスで光信号を送受信することができる。
【００２７】
＜ノード構成の実施形態２＞
上記の実施の形態では、ノードの方路１，２の入力側に光カプラを設けて光信号分配する構成としたが、別の構成例として、送信ノード及び受信ノードを、図３に示すように入力側にＷＳＳを設けた構成とすることが可能である。
【００２８】
図３に示す構成は、前述の実施の形態における光カプラ１１０ａ，１１０ｂ，２１０ａ，２１０ｂの代わりに、入力側の方路１に接続されるＷＳＳ３１０ａ、方路２に接続されるＷＳＳ３１０ｂを設けた構成である。
【００２９】
当該構成の場合は、ＷＳＳ３１０ａは、方路１から入力された光信号を波長選択して、出力側のＷＳＳ３２０ａ，３２０ｂ、３２０ｃ、３２０ｄに出力する。ＷＳＳ３１０ｂは、方路２から入力された光信号を波長選択して出力側のＷＳＳ３２０ａ，３２０ｂ、３２０ｃ、３２０ｄに出力する。
【００３０】
分配用光カプラ３３０は、前述の実施の形態と同様に、出力側の方路１に接続されるＷＳＳ３２０ａと方路２に接続されるＷＳＳ３２０ｂに光パス情報が重畳された光信号を分配して出力する。
【００３１】
出力側のＷＳＳ３２０は、前述の実施の形態と同様の動作を行う。
【００３２】
本発明の送信側ノードでは分配用光カプラを備え、受信側ノードではモニタ用ポートを備えている。光ネットワークで故障が発生した後に迂回する光パスを設定しても、光信号は送信側ノードにて、故障時の光パス経路と迂回用光パス経路の両方に分配される。受信用ノードでは、故障時の光パス経路から入力される光信号をＷＳＳ３２０ｃでモニタ用ポートへ出力して光パス情報を監視する。したがって本発明では、迂回用の光パスが設定された後も故障時の光パスで光信号を送受信することができる。
【００３３】
＜ネットワークシステムの実施の形態＞
図４は、本発明をトランスペアレント光ネットワークに適用した場合を説明するための図である。同図は、ノードＡ〜Ｉまでが光ファイバ伝送路で接続され、電気再生中継を行わずに光信号のまま転送されるトランスペアレント光ネットワークを示している。
【００３４】
当該ネットワークには、光分岐手段（例えば、図２の光カプラ１１０ａ，１１０ｂ，２１０ａ，２１０ｂ）と、波長選択手段（例えば、図２のＷＳＳ１２０ａ，１２０ｂ，２２０ａ，２２０ｂ）と、故障監視手段（例えば、図２の２２０ｃ）と、制御部４００と、を有し、入力ポートと出力ポートが伝送路経由で接続される複数のノードがある。従って、各ノードは下記機能を有する。
【００３５】
光分岐手段は、アドポートより入射する信号光を分岐する機能を有する。波長選択手段は、分岐した信号光を波長に基づいて切り替えて出力ポートまたはドロップポートへ出力する波長選択機能を有する。故障監視手段は、モニタ用ポートへ出力された信号光を受信して故障を監視する故障監視機能を有する。波長選択手段の波長選択機能に対する制御情報を送受する制御情報送受機能と、当該制御情報に基づいて波長選択手段を制御する制御機能と、を有する。
【００３６】
更に、当該ネットワークは、上記の各ノードを制御及び管理する機能を具備するネットワーク管理装置５００を有する。
【００３７】
ネットワーク管理装置５００が、ある光パスの経路で故障が発生したために迂回する光パス経路へ変更する際には、以下の動作を行う。
【００３８】
１）光パス経路上の各ノードの制御部４００との間で、波長選択手段を選択するための制御情報を交換する。
【００３９】
２）ノード群の制御部４００が、１）で交換した制御情報に基づいて、波長選択手段を制御して故障時の光パス経路を保持する。
【００４０】
３）ノード群の制御部４００が、波長選択手段を制御して迂回する光パス経路を設定する。
【００４１】
４）送信ノードの光分岐手段（例えば、図２の光カプラ１３０）が、挿入される光信号を故障時の光パス経路と迂回用光パス経路の両方（例えば、図２の方路１、方路２）へ分配する。
【００４２】
５）受信ノードの制御部４００が、ドロップポート用波長選択手段（例えば、図２のＷＳＳ２２０ｄ）を制御して迂回用光パス経路から入力される光信号を選択して、ドロップポートへ出力する。
【００４３】
６）故障時の光パス経路の通過ノード及び受信ノードの制御部４００が、モニタ用波長選択手段（例えば、図２のＷＳＳ２２０ｃ）を制御して故障時の光パス経路から入力される光信号を選択してモニタ用ポートへ出力して、故障監視手段により故障監視する。
【００４４】
故障時の光パスで用いていた方路に接続されている入力側の光カプラからの光信号のみが出力側のＷＳＳ２２０ｃで選択されてモニタ用ポートに出力される。故障時の光パス経路上の全てのノードにおいて、モニタ用ポートからの出力を監視する。あるノードで光パスのモニタ信号が出力されていて、後段のノードからの出力が得られない場合は、当該ノードの出力側ＷＳＳから後段ノードの光カプラの間で故障が起きていると特定することができる。
【００４５】
上記の実施の形態に示したようなノード構成により、ネットワークにおいて、ノードＣで故障が発生し（図４（Ａ））、各ノードにおいて迂回する光パスｂを設定し、復旧した場合（図４（Ｂ））に、光パスａが残るため故障発生箇所の特定が可能である。
【００４６】
なお、本発明は、上記の実施の形態に限定されることなく、特許請求の範囲内において種々変更・応用が可能である。
【産業上の利用可能性】
【００４７】
本発明は、トランスペアレント光ネットワークの故障監視技術に適用可能である。
【図面の簡単な説明】
【００４８】
【図１】本発明の原理を説明するための図である。
【図２】本発明の一実施の形態における送信ノード・受信ノードの構成図である。
【図３】本発明の他の実施の形態におけるノード構成図である。
【図４】本発明をトランスペアレント光ネットワークに適用した場合を説明するための図である。
【図５】従来の問題点を説明するための図である。
【図６】従来のノード構成図である。
【符号の説明】
【００４９】
１００  ノード、送信側ノード
１１０  第１の光分波手段、光カプラ
１２０  波長選択スイッチ（ＷＳＳ）
１３０  分配用光分波手段、分配用光カプラ
２００  受信側ノード
２１０  光カプラ
２２０  波長選択スイッチ（ＷＳＳ）
２３０  分配用光カプラ
３００  ノード
３１０  波長選択スイッチ（ＷＳＳ）
３２０  波長選択スイッチ（ＷＳＳ）
３３０  分配用光カプラ
４００  制御部
５００  ネットワーク管理装置
【図１】
2010130575.tif 000003
【図２】
2010130575.tif 000004
【図３】
2010130575.tif 000005
【図４】
2010130575.tif 000006
【図５】
2010130575.tif 000007
【図６】
2010130575.tif 000008